(57)【要約】【課題】カートリッジの誤装着を容易に気付かせることが可能な記録装置を提供する。【解決手段】キャリッジ４０は、カートリッジ３０を内部に誘導するガイドレールと、ガイドレールに設けられたストッパー４３と、を備え、カートリッジ３０は、ガイドレールをスライド可能なガイド部材３１と、ガイド部材３１に設けられた突起部３３と、を備え、カートリッジ３０がキャリッジ４０に前後逆向きに挿入された誤装着状態において、突起部３３がストッパー４３に接触し、かつカートリッジ３０の一部がキャリッジ４０からはみ出る。【選択図】図３
2014226796.tif 000002
【特許請求の範囲】
【請求項１】
キャリッジと、前記キャリッジに交換可能に装着されているカートリッジと、を備える記録装置であって、
前記キャリッジは、前記カートリッジを内部に誘導するガイドレールと、前記ガイドレールに設けられたストッパーと、を備え、
前記カートリッジは、前記ガイドレールをスライド可能なガイド部材と、前記ガイド部材に設けられた突起部と、を備え、
前記カートリッジが前記キャリッジに前後逆向きに挿入された誤装着状態において、前記突起部が前記ストッパーに接触し、かつ前記カートリッジの一部が前記キャリッジからはみ出る、記録装置。
【請求項２】
前記誤装着状態において、前記キャリッジからはみ出ている前記カートリッジの端部から前記突起部までの距離が、前記ガイドレールの装着方向手前側の端部から前記ストッパーまでの距離よりも長い、記録装置。
【請求項３】
前記ガイドレールは、前記ガイド部材をスライド可能に保持する第１のガイドレールと、前記第１のガイドレールに並行して延び、前記ストッパーが設けられた第２のガイドレールと、を備えている、請求項１または２に記載の記録装置。
【請求項４】
前記突起部は、前記誤装着状態で前記ストッパーに接触する面を備え、該面と前記ガイド部材とのなす角度が鋭角になっており、
前記ストッパーは、前記面に平行であり、前記誤装着状態で前記面に接触する当接面を備える、請求項１または２に記載の記録装置。
【請求項５】
前記当接面は、前記誤装着状態で前記カートリッジを上昇可能に装着方向奥側に傾斜している、請求項４に記載の記録装置。
【請求項６】
ガイドレールと、前記ガイドレールに設けられたストッパーと、を備えたキャリッジに交換可能に装着されるカートリッジであって、
前記ガイドレールをスライド可能なガイド部材と、前記ガイド部材に設けられた突起部と、を備え、
前記キャリッジに前後逆向きに挿入された誤装着状態において、前記突起部が前記ストッパーに接触し、かつ一部が前記キャリッジからはみ出る、カートリッジ。
【発明の詳細な説明】
【技術分野】
【０００１】
本発明は、インク滴を吐出して文字や画像を記録媒体に記録する記録装置、およびその記録装置に交換可能に装着されるカートリッジに関する。
【背景技術】
【０００２】
インクジェット記録装置には、インクタンクが記録ヘッドと一体になったカートリッジを備えたタイプがある。このタイプのインクジェット記録装置は、インクタンクが記録ヘッドから独立したタイプに比べて部品数が少なくなる。そのため、カートリッジは、装置の小型化に有益であり、特に低価格の小型プリンタに広く採用されている。
【０００３】
特許文献１には、カートリッジを備えたインクジェット記録装置が開示されている。このインクジェット記録装置では、カートリッジ交換ステーションでカートリッジが装置本体に装着される。しかし、特許文献１に記載の記録装置は、カートリッジを交換するための専用スペースや、カートリッジを搭載したキャリッジを当該専用スペースまで移動させる機構が必要になる。そのため、装置の小型化が不十分である。
【０００４】
そこで、カートリッジの交換場所をキャリッジが記録時に移動する範囲内に設けた記録装置が知られている。このような記録装置は、カートリッジを交換するための専用スペースが不要になるため、より一層の小型化が可能となる。
【０００５】
図６は、従来のインクジェット記録装置においてカートリッジがキャリッジに装着される様子を示す側面図である。カートリッジ１３０の両側にはガイド部材１３１が設けられている（図６（ａ）参照）。カートリッジ１３０の上部には突起部１３２が設けられている。一方、キャリッジ１４０には、ガイドレール１４１と、バネ１４２とが設けられている。
【０００６】
ガイド部材１３１がガイドレール１４１をスライドすることによって、カートリッジ１３０はキャリッジ１４０の内部に誘導される（図６（ｂ）参照）。その後、突起部１３２がバネ１４２と接触することによって、カートリッジ１３０はキャリッジ１４０の内部に固定される。これにより、カートリッジ１３０がキャリッジ１４０に装着される。
【先行技術文献】
【特許文献】
【０００７】
【特許文献１】特開２００７−１６０５６０号公報
【発明の概要】
【発明が解決しようとする課題】
【０００８】
図６に示すインクジェット記録装置では、図６（ｄ）に示すようにカートリッジ１３０が前後逆向きにキャリッジ１４０に挿入された場合、カートリッジ１３０がキャリッジ１４０の内部に収容されてしまう。特に、インクジェット記録装置が、キャリッジ１４０の上にスキャナ部を備えている場合、ユーザーがカートリッジの装着状態を視認しにくい。このため、カートリッジ１３０が、前後逆向きにキャリッジ１４０に挿入されても、ユーザーは誤装着に気付くことが困難となる。
【０００９】
本発明は、カートリッジの誤装着を容易に気付かせることが可能な記録装置、およびその記録装置に交換可能に装着されるカートリッジを提供することを目的とする。
【課題を解決するための手段】
【００１０】
上記目的を達成するために本発明の記録装置は、キャリッジと、前記キャリッジに交換可能に装着されているカートリッジと、を備える記録装置であって、前記キャリッジは、前記カートリッジを内部に誘導するガイドレールと、前記ガイドレールに設けられたストッパーと、を備え、前記カートリッジは、前記ガイドレールをスライド可能なガイド部材と、前記ガイド部材に設けられた突起部と、を備え、前記カートリッジが前記キャリッジに前後逆向きに挿入された誤装着状態において、前記突起部が前記ストッパーに接触し、かつ前記カートリッジの一部が前記キャリッジからはみ出る。
【００１１】
上記目的を達成するために本発明のカートリッジは、ガイドレールと、前記ガイドレールに設けられたストッパーと、を備えたキャリッジに交換可能に装着されるカートリッジであって、前記ガイドレールをスライド可能なガイド部材と、前記ガイド部材に設けられた突起部と、を備え、前記キャリッジに前後逆向きに挿入された誤装着状態において、前記突起部が前記ストッパーに接触し、かつ一部が前記キャリッジからはみ出る。
【発明の効果】
【００１２】
本発明によれば、カートリッジの誤装着を容易に気付かせることができる。
【図面の簡単な説明】
【００１３】
【図１】本発明の記録装置の一実施形態を示す斜視図である。
【図２】図１に示すカートリッジ３０の外観を示す図である。
【図３】カートリッジ３０をキャリッジ４０に装着する様子を示す上面図である。
【図４】カートリッジ３０の誤装着を説明するための図である。
【図５】カートリッジ３０をキャリッジ４０に装着する様子を示す側面図である。
【図６】従来のインクジェット記録装置においてカートリッジがキャリッジに装着される様子を示す側面図である。
【発明を実施するための形態】
【００１４】
図１は、本発明の記録装置の一実施形態を示す斜視図である。図１に示す記録装置１０は、記録媒体に記録された画像や文字を読み取り可能なスキャナ部２０を備えている。スキャナ部２０の下側にはカートリッジ３０が配置されている。カートリッジ３０は、後述するキャリッジ４０(図３参照)に装着されている。キャリッジ４０は、主走査方向Ｘ(図１参照)に往復移動する。カートリッジ３０は、図１に示すように、キャリッジ４０が装置本体の中央部分に位置する時に交換可能とされている。
【００１５】
図２は、図１に示すカートリッジ３０の外観を示す図である。図２（ａ）は、カートリッジ３０の斜視図である。図２（ｂ）は、カートリッジ３０の上面図である。図２（ｃ）は、図２（ｂ）に示す領域Ｃの拡大図である。
【００１６】
カートリッジ３０の筐体内には、インクが貯留されたインクタンク(不図示)が、キャリッジ４０の走査中に記録媒体に画像や文字を記録する記録ヘッド(不図示)とともに収容されている。記録ヘッドは、インクを加熱してインク滴を生成するヒーターや、そのインク滴を底面３０ａ（図２（ａ）参照）から吐出するノズルなどで構成されている。インクタンクでは、インクがスポンジ状の樹脂に含浸されている。インクタンクに貯留されているインクは、流路(不図示)を介してノズルに供給される。
【００１７】
カートリッジ１０の長手方向の両側にはガイド部材３１が設けられている(図２（ａ）参照)。各ガイド部材３１には突起部３３が設けられている(図２（ｂ）参照)。図３は、カートリッジ３０をキャリッジ４０に装着する様子を示す上面図である。図３（ａ）および図３（ｂ）は、カートリッジ３０がキャリッジ４０に正しい向きで挿入される様子を示す。一方、図３（ｃ）および図３（ｄ）は、カートリッジ３０がキャリッジ４０に誤った向きで挿入される様子を示す。
【００１８】
キャリッジ４０には、ガイド部材３１をスライド可能に保持するガイドレール４１（第１のガイドレール）と、ガイドレール４１に並行して延びたガイドレール４２（第２のガイドレール）が設けられている。ガイドレール４２の終端部にはストッパー４３が設けられている。
【００１９】
図３（ａ）に示すように、カートリッジ３０が装着方向Ｙにキャリッジ４０に挿入されると、ガイド部材３１がガイドレール４１をスライドし、突起部３３はガイドレール４２をスライドする。これにより、カートリッジ３０はキャリッジ４０の内部に誘導される。その後、突起部３２がキャリッジ４０のバネ(不図示)に接触することでカートリッジ３０はキャリッジ４０の内部に固定される。このとき、突起部３３は、ストッパー４３に対して装着方向手前側に位置している（図３（ｂ）参照）。カートリッジ３０がキャリッジ４０に正しい向きに挿入された場合、図３（ｂ）に示すようにカートリッジ３０はキャリッジ４０に収容された状態となる。
【００２０】
一方、図３（ｃ）に示すように、カートリッジ３０がキャリッジ４０に前後逆向きに挿入された場合、突起部３３がストッパー４３に接触する(図３（ｄ）参照)。カートリッジ３０の端部から突起部３３までの距離Ｌ１は、ガイドレール４１の装着方向手前側の端部からストッパー４３までの距離Ｌ２よりも長い。そのため、突起部３３がストッパー４３に接触したときに、カートリッジ３０の一部がキャリッジ４０からはみ出る。これにより、ユーザーは、カートリッジ３０がキャリッジ４０に誤装着されていることに容易に気付くことができる。
【００２１】
以下、カートリッジ３０の誤装着状態について詳しく説明する。図４は、カートリッジ３０の誤装着を説明するための図である。図４（ａ）は、カートリッジ３０がキャリッジ４０に前後逆向きに挿入される様子を示す拡大図である。図４（ｂ）は、カートリッジ３０がキャリッジ４０に誤装着された状態を示す断面図である。
【００２２】
カートリッジ３０の突起部３３には、カートリッジ３０がキャリッジ４０に前後逆向きに挿入されたときにストッパー４３に接触する面３３ａが形成されている。一方、キャリッジ４０のストッパー４３には、面３３ａに接触する当接面４３ａが形成されている。本実施形態では、面３３ａとガイド部材３１とのなす角度αは鋭角になっている（図４（ａ）、図２（ｃ）参照）。さらに、当接面４３ａは、面３３ａに略平行である。そのため、カートリッジ３０がキャリッジ４０に誤装着された場合、面３３ａと当接面４３ａの接触箇所に、内向きの力Ｆ（図４（ｂ）参照）がかかる。仮に、面３３ａと当接面４３ａの接触箇所に外向きの力が生じると、ユーザーが強い力でカートリッジ３０をキャリッジ４０の内部に押し込んだときにストッパー４３が外側に撓む。ストッパー４３の撓みによってカートリッジ３０がキャリッジ４０の内部に無理やり挿入される事態が想定される。しかし、本実施形態では、内向きの力Ｆによってストッパー４３が外側に撓まないので、上述した事態の発生を防止することが可能となる。
【００２３】
図５は、カートリッジ３０をキャリッジ４０に装着する様子を示す側面図である。図５（ａ）は、カートリッジ３０が正しくキャリッジ４０に装着された場合を示す。図５（ｂ）および図５（ｃ）は、カートリッジ３０がキャリッジ４０に誤装着された場合を示す。
【００２４】
本実施形態のキャリッジ４０では、ストッパー４３の当接面４３ａが装着方向奥側に傾斜している（図５（ｂ）参照）。そのため、カートリッジ３０がキャリッジ４０に誤装着された場合、突起部３３の面３３ａが当接面４３ａをスライドする。すると、カートリッジ３０が当接面４３ａに沿って上昇する。これにより、カートリッジ３０をキャリッジ４０に装着している途中にカートリッジ３０の底面３０ａが装置本体に当接しないようにできる。底面３０ａには、ノズルが設けられている。そのため、カートリッジ３０が当接面４３ａに沿って上昇することによって、ノズルの損傷を回避することが可能となる。
【００２５】
上述した本実施形態の記録装置１０によれば、カートリッジ３０が前後逆向きにキャリッジ４０に挿入された場合、カートリッジ３０の突起部３３がキャリッジ４０のストッパー４３に接触する。この接触によってカートリッジ３０のキャリッジ４０への収容が妨げられる。これにより、ユーザーに対してカートリッジ３０の誤装着を容易に気付かせることが可能となる。さらに、ストッパー４３の当接面４３ａに沿ってカートリッジ３０を上昇可能とする構成によって、カートリッジ３０の誤装着時にノズルを保護することが可能となる。
【符号の説明】
【００２６】
１０  記録装置
３０  カートリッジ
３１  ガイド部材
３３  突起部
４０  キャリッジ
４１、４２  ガイドレール
４３  ストッパー
【図１】
2014226796.tif 000003
【図２】
2014226796.tif 000004
【図３】
2014226796.tif 000005
【図４】
2014226796.tif 000006
【図５】
2014226796.tif 000007
【図６】
2014226796.tif 000008